(57)【要約】【課題】筐体部に設けられた排出口における媒体の引っかかりを抑制することができる記録装置及び媒体搬送装置を提供する。【解決手段】記録装置１１は、媒体Ｓを排出する排出口２０が設けられた筐体部１２と、筐体部１２内において媒体Ｓに対して記録を行う記録部と、排出口２０に向けて媒体Ｓを搬送する搬送機構３５と、排出口２０において媒体Ｓの第１面を案内する上側案内部４０と、排出口２０において媒体Ｓの第２面を案内する下側案内部４１と、を備える。下側案内部４１は、排出口２０から筐体部１２の外側に向けて下向きに傾斜した外側傾斜部４５を有し、上側案内部４０は、排出口２０から筐体部１２の内側に向けて延設された延設案内部４２を有する。延設案内部４２の先端は、外側傾斜部４５の傾斜方向に対して筐体部１２の内側に向けて外側傾斜部４５を仮想的に延長した仮想延長部４９よりも媒体Ｓの搬送方向における下流に位置する。【選択図】図３
2015063382.tif 000002
【特許請求の範囲】
【請求項１】
第１面と前記第１面の裏面となる第２面を有する媒体を排出する排出口が設けられた筐体部と、
前記筐体部内において前記媒体に対して記録を行う記録部と、
前記排出口に向けて前記媒体を搬送する搬送機構と、
前記排出口において前記媒体の前記第１面を案内する上側案内部と、
前記排出口において前記媒体の前記第２面を案内する下側案内部と、
を備え、
前記下側案内部は、前記排出口から前記筐体部の外側に向けて下向きに傾斜した外側傾斜部を有し、
前記上側案内部は、前記排出口から前記筐体部の内側に向けて延設された延設案内部を有し、
前記延設案内部の先端は、前記外側傾斜部の傾斜方向に対して前記筐体部の内側に向けて前記外側傾斜部を仮想的に延長した仮想延長部よりも前記媒体の搬送方向における下流に位置することを特徴とする記録装置。
【請求項２】
前記下側案内部は前記排出口から前記筐体部の内側に向けて下向きに傾斜した内側傾斜部を有していることを特徴とする請求項１に記載の記録装置。
【請求項３】
前記内側傾斜部の先端は、前記延設案内部の先端よりも、前記媒体の搬送方向における上流側に位置することを特徴とする請求項２に記載の記録装置。
【請求項４】
前記記録部と前記排出口との間において、前記媒体を裁断する裁断部を備えることを特徴とする請求項２または請求項３に記載の記録装置。
【請求項５】
前記裁断部によって切り落とされた前記媒体の裁断片を収容する収容容器を備え、
前記媒体の搬送方向において前記裁断部と前記内側傾斜部との間には、前記裁断片を前記収容容器に向けて落下させるための隙間が設けられ、
前記下側案内部は前記媒体の搬送経路よりも下側に配置されていることを特徴とする請求項４に記載の記録装置。
【請求項６】
前記媒体を前記第２面が内周面を形成するロール体の状態で保持する媒体保持部を備えることを特徴とする請求項１〜請求項５のうちいずれか一項に記載の記録装置。
【請求項７】
前記排出口から排出された前記媒体を受容する受容部を備え、
前記受容部は、下向きに傾斜した傾斜案内部と、前記傾斜案内部の下端に接続されて前記媒体の下端を支持する支持部とを有することを特徴とする請求項１〜請求項６のうちいずれか一項に記載の記録装置。
【請求項８】
第１面と前記第１面の裏面となる第２面を有する媒体を排出する排出口が設けられた筐体部と、
前記排出口に向けて前記媒体を搬送する搬送機構と、
前記排出口において前記媒体の前記第１面を案内する上側案内部と、
前記排出口において前記媒体の前記第２面を案内する下側案内部と、
を備え、
前記下側案内部は、前記排出口から前記筐体部の外側に向けて下向きに傾斜した外側傾斜部を有し、
前記上側案内部は、前記排出口から前記筐体部の内側に向けて延設された延設案内部を有し、
前記延設案内部の先端は、前記外側傾斜部の傾斜方向に対して前記筐体部の内側に向けて前記外側傾斜部を仮想的に延長した仮想延長部よりも前記媒体の搬送方向における下流に位置することを特徴とする媒体搬送装置。
【請求項９】
前記筐体部内において前記排出口より前記搬送方向の上流に、前記媒体を裁断する裁断部を備えることを特徴とする請求項８に記載の媒体搬送装置。
【発明の詳細な説明】
【技術分野】
【０００１】
本発明は、プリンターなどの記録装置及び媒体搬送装置に関する。
【背景技術】
【０００２】
記録装置の一例として、ロール紙のような長尺の用紙に印刷を行い、用紙の印刷が施された部分をカッターで裁断して短冊用紙とした後に、排紙ガイドに沿って印刷済みの短冊用紙を排紙するプリンターがある（例えば、特許文献１）。
【０００３】
このように排紙される短冊用紙は、裁断に伴ってロール状に巻かれていたときの巻きぐせが出て湾曲してしまうことがある。そして、このように短冊用紙が湾曲すると、排紙ガイドに引っかかってしまうため、上述のプリンターでは、排紙ガイドを揺動させることによって短冊用紙を下から上に突き上げて、短冊用紙を落下させていた。
【先行技術文献】
【特許文献】
【０００４】
【特許文献１】特開２００６−１７６２４３号公報
【発明の概要】
【発明が解決しようとする課題】
【０００５】
ところで、筐体部に設けられた排紙口において、上述のように短冊用紙が下から上に突き上げられると、短冊用紙の上面が排紙口を構成する筐体部の前壁に接触し、さらに下面が排紙ガイドにも接触した状態になって、短冊用紙が排紙口に引っかかってしまうことがある。
【０００６】
なお、こうした課題は、排紙ガイドを揺動させて短冊用紙を落下させる場合に限らず、媒体を排出するための排出口を有する筐体部を有する記録装置及び媒体搬送装置においては、概ね共通したものとなっている。
【０００７】
本発明は、こうした実情に鑑みてなされたものであり、その目的は、筐体部に設けられた排出口における媒体の引っかかりを抑制することができる記録装置及び媒体搬送装置を提供することにある。
【課題を解決するための手段】
【０００８】
以下、上記課題を解決するための手段及びその作用効果について記載する。
上記課題を解決する記録装置は、第１面と前記第１面の裏面となる第２面を有する媒体を排出する排出口が設けられた筐体部と、前記筐体部内において前記媒体に対して記録を行う記録部と、前記排出口に向けて前記媒体を搬送する搬送機構と、前記排出口において前記媒体の前記第１面を案内する上側案内部と、前記排出口において前記媒体の前記第２面を案内する下側案内部と、を備え、前記下側案内部は、前記排出口から前記筐体部の外側に向けて下向きに傾斜した外側傾斜部を有し、前記上側案内部は、前記排出口から前記筐体部の内側に向けて延設された延設案内部を有し、前記延設案内部の先端は、前記外側傾斜部の傾斜方向に対して前記筐体部の内側に向けて前記外側傾斜部を仮想的に延長した仮想延長部よりも前記媒体の搬送方向における下流に位置する。
【０００９】
上記構成によれば、延設案内部の先端は、外側傾斜部の傾斜方向に対して筐体部の内側に向けて外側傾斜部を仮想的に延長した仮想延長部よりも媒体の搬送方向における下流に位置するので、媒体が上側案内部と外側傾斜部の両方に同時に接触しにくい。したがって、筐体部に設けられた排出口における媒体の引っかかりを抑制することができる。
【００１０】
上記記録装置において、前記下側案内部は前記排出口から前記筐体部の内側に向けて下向きに傾斜した内側傾斜部を有している。
この構成によれば、媒体の先端が下側を向いている場合には、媒体の先端を内側傾斜部が排出口に向けて案内することによって、媒体を排出口の外に出すことができる。したがって、筐体部に設けられた排出口において、先端が下向きになった媒体の引っかかりを抑制することができる。
【００１１】
上記記録装置において、前記内側傾斜部の先端は、前記延設案内部の先端よりも、前記媒体の搬送方向における上流側に位置する。
この構成によれば、内側傾斜部の先端は、延設案内部の先端よりも媒体の搬送方向における上流側に位置するので、媒体の先端が下側を向いている場合にも内側傾斜部に接触させることができる。そして、内側傾斜部は排出口に向けて媒体を案内するので、媒体が排出口に引っかかるのを抑制することができる。
【００１２】
上記記録装置は、前記記録部と前記排出口との間において、前記媒体を裁断する裁断部を備える。
この構成によれば、媒体の裁断によって生成された単票は先端が下側を向くように湾曲することがあるが、湾曲した単票の先端を内側傾斜部が案内することによって、単票が排出口に引っかかるのを抑制することができる。
【００１３】
上記記録装置は、前記裁断部によって切り落とされた前記媒体の裁断片を収容する収容容器を備え、前記媒体の搬送方向において前記裁断部と前記内側傾斜部との間には、前記裁断片を前記収容容器に向けて落下させるための隙間が設けられ、前記下側案内部は前記媒体の搬送経路よりも下側に配置されている。
【００１４】
媒体の搬送方向において裁断部と内側傾斜部との間には裁断片を収容容器に向けて落下させるための隙間が設けられ、媒体を支持する支持部材がないので、裁断部と内側傾斜部４４との隙間の搬送方向における長さの分、裁断部から送り出される媒体の先端は下方に垂れ下がる。その点、上記構成によれば、下側案内部は媒体の搬送経路よりも下側に配置されているので、垂れ下がった媒体の先端を内側傾斜部に接触させることができる。これにより、内側傾斜部によって媒体の先端を排出口に向けて案内することができる。
【００１５】
上記記録装置は、前記媒体を前記第２面が内周面を形成するロール体の状態で保持する媒体保持部を備える。
この構成によれば、媒体は円筒状に巻かれていたときの巻きぐせによって湾曲しやすいが、媒体の先端を上側案内部及び下側案内部が案内することによって、湾曲した媒体が排出口に引っかかるのを抑制することができる。
【００１６】
上記記録装置は、前記排出口から排出された前記媒体を受容する受容部を備え、前記受容部は、下向きに傾斜した傾斜案内部と、前記傾斜案内部の下端に接続されて前記媒体の下端を支持する支持部とを有する。
【００１７】
この構成によれば、外側傾斜部に案内されて排出口から排出された媒体は、下向きに傾斜した傾斜案内部に沿って支持部まで落下するので、媒体の表裏を反転させることなく、排出口から排出された媒体を受容部にて受容することができる。
【００１８】
上記課題を解決する媒体搬送装置は、第１面と前記第１面の裏面となる第２面を有する媒体を排出する排出口が設けられた筐体部と、前記排出口に向けて前記媒体を搬送する搬送機構と、前記排出口において前記媒体の前記第１面を案内する上側案内部と、前記排出口において前記媒体の前記第２面を案内する下側案内部と、を備え、前記下側案内部は、前記排出口から前記筐体部の外側に向けて下向きに傾斜した外側傾斜部を有し、前記上側案内部は、前記排出口から前記筐体部の内側に向けて延設された延設案内部を有し、前記延設案内部の先端は、前記外側傾斜部の傾斜方向に対して前記筐体部の内側に向けて前記外側傾斜部を仮想的に延長した仮想延長部よりも前記媒体の搬送方向における下流に位置する。
【００１９】
上記構成によれば、延設案内部の先端は、外側傾斜部の傾斜方向に対して筐体部の内側に向けて外側傾斜部を仮想的に延長した仮想延長部よりも媒体の搬送方向における下流に位置するので、媒体が上側案内部と外側傾斜部の両方に同時に接触しにくい。したがって、筐体部に設けられた排出口における媒体の引っかかりを抑制することができ、媒体が排出口から排出され易い。
【００２０】
上記媒体搬送装置は、前記筐体部内において前記排出口より前記搬送方向の上流に、前記媒体を裁断する裁断部を備える。
この構成によれば、媒体を裁断して生成された単票は端部が湾曲することがあるが、湾曲した単票を上側案内部及び下側案内部が案内することによって、湾曲した単票の端部が排出口に引っかかるのを抑制することができる。
【図面の簡単な説明】
【００２１】
【図１】一実施形態の記録装置の斜視図。
【図２】同記録装置の構成を示す断面図。
【図３】同記録装置の作用を説明する断面図。
【図４】記録装置の変更例を示す斜視図。
【発明を実施するための形態】
【００２２】
以下、記録装置の実施形態について、図を参照して説明する。記録装置は、例えば用紙などの媒体に液体の一例であるインクを噴射することによって記録（印刷）を行うプリンターである。
【００２３】
図１に示すように、本実施形態の記録装置１１は筐体部１２を備えている。筐体部１２の前面側には開口部１３が形成されている。筐体部１２内には、開口部１３を通じて媒体保持部１６が引き出し可能な状態で収容される。
【００２４】
筐体部１２には、筐体部１２に収容された媒体保持部１６を覆う閉位置（図２に示す位置）と開口部１３を露出させる開位置（図１に示す位置）とに配置可能な収容容器１９が着脱可能に取り付けられる。また、筐体部１２の前面には、開口部１３の鉛直方向上方となる位置に、排出口２０が形成されている。
【００２５】
媒体保持部１６は、筐体部１２に収容された場合に記録装置１１の外装の一部を構成する前板部２２と、長尺の媒体Ｓを円筒状に巻き重ねたロール体Ｒを回転自在に支持する支持壁２３とを備えている。
【００２６】
図２に示すように、筐体部１２内において、媒体保持部１６を収容する空間の上方には、ロール体Ｒから巻き解かれた媒体Ｓに記録を行う記録部３１が収容されている。記録部３１は、記録材の一例であるインクを噴射可能な液体噴射ヘッド３２を備えている。
【００２７】
媒体Ｓはインクが噴射される表面である第１面Ｓ１と、その裏面となる第２面Ｓ２とを有している。そして、媒体Ｓは第２面Ｓ２が内周面を形成するロール体Ｒの状態で媒体保持部１６に保持される。そのため、ロール体Ｒから巻き解かれた媒体Ｓには、第１面Ｓ１が凸面形状となる一方で第２面Ｓ２が凹面形状となる巻きぐせがついていることがある。
【００２８】
記録装置１１は、媒体保持部１６から排出口２０に向かう搬送経路に沿って媒体Ｓを搬送する搬送機構３５を備えている。搬送機構３５は、搬送経路に沿って配置された複数の搬送ローラー対を備えている。
【００２９】
媒体Ｓの搬送方向において記録部３１の下流には、媒体Ｓを加熱することによって、媒体Ｓに付着したインクを乾燥させる加熱装置３３が配置されている。また、加熱装置３３と排出口２０との間には、媒体Ｓを裁断する裁断部３４が設けられている。
【００３０】
図３に示すように、排出口２０には、媒体Ｓの上面となる第１面Ｓ１を案内する上側案内部４０と、媒体Ｓの下面となる第２面Ｓ２を案内する下側案内部４１とが設けられている。鉛直方向において、上側案内部４０は図３に点線で示す媒体Ｓの搬送経路（媒体Ｓが水平に搬送された場合の搬送経路）よりも上側に離間した位置に配置されている一方、下側案内部４１は同搬送経路よりも下側に離間した位置に配置されている。そして、鉛直方向における搬送経路からの離間距離は、上側案内部４０よりも下側案内部４１の方がやや長くなっている。
【００３１】
上側案内部４０は、排出口２０から筐体部１２の内側に向けて延設された延設案内部４２と、排出口２０から筐体部１２の外側に向けて上向きに傾斜した傾斜部４３とを有している。下側案内部４１は、排出口２０から筐体部１２の内側に向けて下向きに傾斜した内側傾斜部４４と、排出口２０から筐体部１２の外側に向けて下向きに傾斜した外側傾斜部４５とを有している。なお、排出口２０は、図３において、上側案内部４０と下側案内部４１の鉛直方向における間隔が最も狭い箇所とする。
【００３２】
延設案内部４２の先端（末端）は、筐体部１２内に配置されており、外側傾斜部４５の傾斜方向に対して筐体部１２の内側に向けて外側傾斜部４５を仮想的に延長した仮想延長部４９（図３に一点鎖線で示す）よりも排出口２０に近い位置であり、仮想延長部４９よりも媒体Ｓの搬送方向における下流に位置する。また、内側傾斜部４４の先端は、筐体部１２内に配置されており、延設案内部４２の先端よりも、媒体Ｓの搬送方向における上流側に位置している。
【００３３】
次に、以上のように構成された記録装置１１の作用を説明する。
図２に示すように、搬送機構３５の駆動に伴ってロール体Ｒから巻き解かれた媒体Ｓが記録部３１に搬送されると、媒体Ｓの第１面Ｓ１に向けて液体噴射ヘッド３２からインクが噴射されることによって、媒体Ｓに記録（印刷）が行われる。
【００３４】
図３に示すように、印刷が行われた媒体Ｓは、加熱装置３３の上を通過することによって乾燥された後、記録が施された部分が単位長さ毎に裁断部３４によって裁断されることで、単票ＣＰとなる。なお、裁断部３４は、先に裁断された単票ＣＰの後端と、次に裁断される単票ＣＰの前端との間の余白部分などを切り落とす。
【００３５】
そして、切り落とされた媒体Ｓの裁断片は下方に落下して、収容容器１９に収容される。なお、媒体Ｓの搬送方向において裁断部３４と内側傾斜部４４との間には、裁断片を収容容器１９に向けて落下させるための隙間が設けられている。
【００３６】
そして、記録が完了した媒体Ｓである単票ＣＰは、排出口２０を通じて筐体部１２外に排出される。このとき、搬送機構３５によって搬送される媒体Ｓは、搬送機構３５を構成する搬送ローラー対による挟持が解除されると、円筒状に巻かれていたときの巻きぐせがでて、先端が下向きになるように湾曲することがある。また、裁断部３４と内側傾斜部４４との間には、裁断片を落下させるための隙間が設けられているので、その隙間において、媒体Ｓの先端が自重によって垂れ下がる。
【００３７】
そのため、裁断部３４を通過した媒体Ｓの先端は図２に示すように下向きに進んで、下側案内部４１の内側傾斜部４４に接触する。すると、媒体Ｓは、内側傾斜部４４に案内されることによって内側傾斜部４４の傾斜を上るように排出口２０に向けて進む。
【００３８】
図３に示すように、内側傾斜部４４に案内された媒体Ｓの先端が排出口２０から出ると、媒体Ｓは下向きに傾斜した外側傾斜部４５に案内される。そして、媒体Ｓが裁断部３４によって裁断されて単票ＣＰになり、単票ＣＰの重心の位置が排出口２０よりも筐体部１２の外側に出ていると、その単票ＣＰは自重によって後端が上方に向けて浮き上がるように傾く。
【００３９】
このとき、図３に二点鎖線で示すように、上側案内部４０の延設案内部４２が一点鎖線で示す仮想延長部４９に到達するほど内側まで延設されている場合には、単票ＣＰの第１面Ｓ１が延設案内部４２に接触すると同時に第２面Ｓ２が下側案内部４１に接触して、単票ＣＰが排出口２０に引っかかるおそれがある。その点、本実施形態において、延設案内部４２の先端は仮想延長部４９よりも排出口２０に近い位置に配置されているので、単票ＣＰが延設案内部４２側に反ったりなどしていなければ、単票ＣＰは第１面Ｓ１が延設案内部４２に引っかかることなく、下側案内部４１の傾斜に沿って落下する。
【００４０】
ところで、排出口２０における単票ＣＰの引っかかりは、排出口２０の開口面積を鉛直方向に拡大することによっても抑制することができる。しかし、排出口２０の奥側には裁断部３４が配置されているために、排出口２０の開口面積はできるだけ小さくするのが好ましい。その点、上記実施形態によれば、排出口２０を拡大しなくても、上側案内部４０及び下側案内部４１によって単票ＣＰを案内することによって、排出口２０における単票ＣＰの引っかかりを抑制することが可能になる。
【００４１】
なお、媒体Ｓは上面となる第１面Ｓ１にインクが付着するので、加熱装置３３を通過してインクの溶媒成分が蒸発すると、先端が上向きになるように湾曲するときがある。この場合には、媒体Ｓの先端が上向きに湾曲した状態で裁断されて単票ＣＰになり、上向きに反った単票ＣＰが上側案内部４０の延設案内部４２に接触するので、反った単票ＣＰは延設案内部４２によって排出口２０に向けて案内される。そのため、延設案内部４２の長さは、媒体Ｓの上方への湾曲のしやすさに応じて、仮想延長部４９に到達しない範囲で延長することもできる。
【００４２】
また、上記実施形態は、記録装置１１を中心に説明したが、媒体Ｓ（または媒体Ｓとしての単票ＣＰ）を搬送し、媒体Ｓまたは単票ＣＰの先端を排出口２０から排出する形態の媒体搬送装置に適用可能である。
【００４３】
上記実施形態によれば、以下のような効果を得ることができる。
（１）延設案内部４２の先端は、外側傾斜部４５の傾斜方向に対して筐体部１２の内側に向けて外側傾斜部４５を仮想的に延ばした仮想延長部４９よりも媒体Ｓの搬送方向における下流に位置するので、単票ＣＰが上側案内部４０と外側傾斜部４５の両方に同時に接触しにくい。したがって、筐体部１２に設けられた排出口２０における単票ＣＰの引っかかりを抑制することができ、媒体Ｓ（単票ＣＰ）が排出口２０から排出されやすい。
【００４４】
（２）媒体Ｓの先端が下側を向いている場合には、媒体Ｓの先端を内側傾斜部４４が排出口２０に向けて案内することによって、媒体Ｓを排出口２０の外に出すことができる。例えば、媒体Ｓが円筒状に巻かれていたときの巻きぐせ等によって先端が下側を向くように湾曲した場合には、湾曲した先端を内側傾斜部４４が排出口２０に向けて案内することによって、先端が湾曲した媒体Ｓを裁断し反った状態となった単票ＣＰを排出口２０の外に出すことができる。したがって、筐体部１２に設けられた排出口２０において、端が下向きになるように湾曲した単票ＣＰの引っかかりを抑制することができる。
【００４５】
（３）内側傾斜部４４の先端は、延設案内部４２の先端よりも媒体Ｓの搬送方向における上流側に位置するので、媒体Ｓの先端が下側を向いている場合にも内側傾斜部４４に接触させることができる。例えば、媒体Ｓの先端が巻きぐせ等によって大きく下方に湾曲する前に、媒体Ｓの先端を内側傾斜部４４に接触させることができる。これにより、内側傾斜部４４は、媒体Ｓが巻きぐせ等によって湾曲するのを抑制しつつ、排出口２０に向けて媒体Ｓを案内するので、湾曲した媒体Ｓが裁断された単票ＣＰが排出口２０に引っかかるのを抑制することができる。
【００４６】
（４）媒体Ｓの裁断によって生成された単票ＣＰは端部が湾曲することがあるが、湾曲した単票ＣＰを上側案内部４０及び下側案内部４１が案内することによって、湾曲した単票ＣＰの端部が排出口２０に引っかかるのを抑制することができる。例えば、媒体Ｓを裁断して生成された単票ＣＰは先端が下側を向くように湾曲することがあるが、湾曲した単票ＣＰの先端を内側傾斜部４４が案内することによって、単票ＣＰが排出口２０に引っかかるのを抑制することができる。
【００４７】
（５）媒体Ｓの搬送方向において裁断部３４と内側傾斜部４４との間には裁断片を収容容器１９に向けて落下させるための隙間が設けられ、媒体Ｓを支持する支持部材がないので、裁断部３４と内側傾斜部４４との隙間の搬送方向における長さの分、裁断部３４から送り出される媒体Ｓの先端は下方に垂れ下がる。その点、上記実施形態によれば、下側案内部４１は媒体Ｓの搬送経路よりも下側に配置されているので、垂れ下がった媒体Ｓの先端を内側傾斜部４４に接触させることができる。これにより、内側傾斜部４４によって媒体Ｓの先端を排出口２０に向けて案内することができる。
【００４８】
（６）媒体Ｓは円筒状に巻かれていたときの巻きぐせによって湾曲しやすいが、媒体Ｓの先端を上側案内部４０及び下側案内部４１が案内することによって、湾曲した媒体Ｓが排出口２０に引っかかるのを抑制することができる。
【００４９】
なお、上記実施形態は以下のように変更してもよい。
・図４に示す変更例のように、記録装置１１が、排出口２０から排出された媒体Ｓまたは単票ＣＰを受容する受容部５０を備える構成にすることもできる。この受容部５０は、収容容器１９の外面側に取り付ける態様として、下向きに傾斜した傾斜案内部５１と、傾斜案内部５１の下端に接続されて媒体Ｓまたは単票ＣＰの下端を支持する支持部５２とを有するのが好ましい。
【００５０】
この構成によれば、外側傾斜部４５に案内されつつ排出口２０から排出された媒体Ｓまたは単票ＣＰは、下向きに傾斜した傾斜案内部５１に沿って支持部５２まで落下するので、媒体Ｓまたは単票ＣＰの表裏を反転させることなく、排出口２０から排出された媒体Ｓまたは単票ＣＰを受容部５０にて受容することができる。また、この構成を採用する場合には、加熱装置３３を筐体部１２内に配置しなくても、受容部５０において媒体Ｓまたは単票ＣＰを乾燥させることができる。
【００５１】
・上側案内部４０の延設案内部４２は、筐体部１２の内側に向けて上向きに傾斜していてもよい。この構成によれば、延設案内部４２の延設長さを伸ばしつつ、媒体Ｓが裁断された単票ＣＰの引っかかりを抑制することができる。
【００５２】
・裁断による裁断片が生じない場合には、収容容器１９に替えて、開口部１３を覆う蓋部材を備える構成にしてもよい。この場合には、下側案内部４１が内側傾斜部４４に替えて、排出口２０から媒体Ｓの搬送方向に沿って裁断部３４まで延びる延設案内部を有する構成にすることもできる。
【００５３】
・鉛直方向における搬送経路からの離間距離を、上側案内部４０と下側案内部４１とで等しくしてもよいし、搬送経路と上側案内部４０との離間距離を、搬送経路と下側案内部４１との離間距離よりも長くしてもよい。いずれにしても、上側案内部４０及び下側案内部４１のうち、媒体Ｓが湾曲して先端が近づきやすい方を搬送経路からの離間させることによって、排出口２０を拡大することなく、排出口２０における媒体Ｓが裁断された単票ＣＰの引っかかりを抑制することが可能になる。
【００５４】
・記録装置１１は、予め所定の長さに裁断された単票（短冊用紙）に記録を行う構成としてもよい。この場合にも、インクの乾燥等に起因して湾曲した単票の排出口２０における引っかかりを上側案内部４０及び下側案内部４１によって抑制することができる。
【００５５】
・媒体Ｓは用紙に限らず、プラスチックフィルムや薄い板材などでもよいし、捺染装置などに用いられる布帛であってもよい。
・本実施形態と異なる種類の媒体を用いる場合、供給形態は、ロール体でもよいし、所定の大きさに裁断等されたものでもよい。
【００５６】
・記録装置は、インクなどの流体を噴射することで記録を行うプリンターに限らず、例えばレーザープリンター、ＬＥＤプリンター、熱転写プリンター（昇華型プリンターを含む）などのノンインパクトプリンターでもよいし、ドットインパクトプリンターなどのインパクトプリンターでもよい。
【００５７】
・媒体搬送装置は記録装置に備えられるものの他に、現金やクレジットカードなどにより決済された後、各種券を排出口より排出することができる券発行装置など、媒体を排出する様々な装置に適用できる。すなわち、媒体搬送装置によって搬送される媒体は、切符やチケットなど、各種券であってもよい。また、このような各種券には、予め、文字、絵、写真などの画像が印刷されていてもよい。
【符号の説明】
【００５８】
１１…記録装置、１２…筐体部、１６…媒体保持部、１９…収容容器、２０…排出口、３１…記録部、３４…裁断部、３５…搬送機構、４０…上側案内部、４１…下側案内部、４２…延設案内部、４４…内側傾斜部、４５…外側傾斜部、４９…仮想延長部、５０…受容部、５１…傾斜案内部、５２…支持部、Ｒ…ロール体、Ｓ…媒体、Ｓ１…第１面、Ｓ２…第２面。
【図１】
2015063382.tif 000003
【図２】
2015063382.tif 000004
【図３】
2015063382.tif 000005
【図４】
2015063382.tif 000006